(57)【要約】      （修正有）【課題】洗い流す効率が高く、水使用量を節約できる携帯式フラッシュ・スタンド便器マルチヘッド噴水構造を提供する。【解決手段】清水タンク、清水タンクに取り付けられた気圧水ポンプ構造及び清水タンク内殻壁上に取り付けられた噴水ノズルにより連接されてなり、清水タンク内殻壁上部、噴水ノズルより下に、一つの環形プラットフォームも設置されており、気圧水ポンプ構造がダクトが多岐分流器及び噴水ノズルと連接する。設置された水流れが清水タンク内表面の環状プラットフォームリングを通して、同時に均一に周辺を洗い流す。これにより有限的な水量を均一に且つ速く付着物を洗い流す。【選択図】図１
0003144898.tif 000002
【実用新案登録請求の範囲】
【請求項１】
一種の携帯式フラッシュ・スタンド便器マルチヘッド噴水構造であって、清水タンク、清水タンクに取り付けられた気圧水ポンプ構造及び清水タンク内殻壁上に取り付けられた噴水ノズルにより連接されてなり、清水タンク内殻壁上部、噴水ノズルより下に、一つの環形プラットフォームがさらに設置されており、気圧水ポンプ構造がダクトが多岐分流器及び噴水ノズルと連接することを特徴とする一種の携帯式フラッシュ・スタンド便器マルチヘッド噴水構造。
【請求項２】
請求項１記載の一種の携帯式フラッシュ・スタンド便器マルチヘッド噴水構造であって、前記環形プラットフォームと前記清水タンク内殻壁上部に取付けられる前記噴水ノズルが２-４本であり、同一水平面の順円周方向に取付けられることを特徴とする一種の携帯式フラッシュ・スタンド便器マルチヘッド噴水構造。
【請求項３】
請求項２記載の一種の携帯式フラッシュ・スタンド便器マルチヘッド噴水構造であって、前記多岐分流器は、一本の水入口と２-４本の出口からなるパイプ連接部品であることを特徴とする一種の携帯式フラッシュ・スタンド便器マルチヘッド噴水構造。
【請求項４】
請求項１乃至３のいずれか一項記載の一種の携帯式フラッシュ・スタンド便器マルチヘッド噴水構造であって、前記環形プラットフォームと前記清水タンク内殻壁上部に取付けられる前記噴水ノズルは２本であることを特徴とする一種の携帯式フラッシュ・スタンド便器マルチヘッド噴水構造。
【請求項５】
請求項４記載の一種の携帯式フラッシュ・スタンド便器マルチヘッド噴水構造であって、前記噴水ノズルの噴水口の所に、一つの水上向き噴射を防止する半円形末端屋根縁が設置されることを特徴とする一種の携帯式フラッシュ・スタンド便器マルチヘッド噴水構造。
【考案の詳細な説明】
【技術分野】
【０００１】
本考案は、一種の携帯式フラッシュ・スタンド便器マルチヘッド噴水構造に係り、具体的には、従来の携帯式フラッシュ・スタンド便器のフラッシュ効率と水節約面に対する構造改善であり、これは衛生用品の技術領域に属する。
【背景技術】
【０００２】
社会生活の絶え間ない発展に伴って、携帯式フラッシュ・スタンド便器の使用範囲が日増しに広範になる。携帯式であるので、フラッシュ水量が有限である。従来の携帯式フラッシュ・スタンド便器の構造としては、清水タンク（即ち、便器タンク）の内側の一辺で前を向いて一つの噴水ノズルを開設することである。但し、このような構造は有限のフラッシュ水量に清水タンク（即ち、便器タンク）の内側の回りを回って均一に流すことができない。深刻な場合には、局部の位置に水流れが到達し難く、これにより便器タンクが時々綺麗に洗浄できない現象が発生する。勿論、一部分の改善方案が噴水ノズルの数量を増加することである。但し、このような簡単な噴水ノズル数量増加方法は、便器タンクの内側局部位置の水流れがフラッシュできないという欠点を根本的に解決できず、便器タンクに時々洗浄不徹底問題が発生した。よって、どのように効率よく且つ水節約の条件のもとで便器表面の付着物を洗い流すかは、日々大きな課題となっている。
【考案の開示】
【０００３】
本考案の目的は、従来技術の欠点と不足を克服して避ける為に採用される携帯式フラッシュ・スタンド便器マルチヘッド噴水構造を提供することである。これは、従来技術に存在する問題に対して、従来の前向きフラッシュ噴水ノズルを基礎として、同一の水平面で幾つかの円周方向と同方向噴水ノズルを取り付ける技術措置を採用する。これと同時に、噴水ノズルの取り付け角度にも苦心して設計・調整した結果が凝縮している。勿論、噴水ノズルの下縁にある便器清水タンク（即ち、便器タンク）の内壁に一つの環形プラットフォームを加えても良い。これらのシリーズの技術措置を通じて、水に清水タンク（即ち、便器タンク）の内側円周を回して均一に流すことができる。この上、水流が急であり、洗い流しの死角がない。これによって、高効率、水節約及び洗浄清潔さを実現する。
【０００４】
本考案は、下記の技術形態を採用して考案目的を実現する。
【０００５】
一種の携帯式フラッシュ・スタンド便器マルチヘッド噴水構造で、清水タンク、清水タンクに取り付けられた気圧水ポンプ構造及び清水タンク内殻壁上に取り付けられた噴水ノズルにより連接されてなる。気圧水ポンプ構造がダクトが多岐分流器及び噴水ノズルと連接する。清水タンク内殻壁に取り付けられた噴水ノズルは2-4個で、同一水平面上の順円周同と方向に取り付けられる。
【０００６】
上記の多岐分流器は、一本の水入口と２-４本の出口からなるパイプ連接部品である。
【０００７】
上記の噴水ノズルの中軸線は、取付時に水平面との成す角度αが0°-20°で、噴水ノズルの中軸線は、取付時に清水タンク内円周での噴水ノズル取付点接線を通る垂直面との成す角度βが0°-20°である。
【０００８】
清水タンク内殻壁上部、噴水ノズルより下に、一つの環形プラットフォームも設置されている。
【０００９】
上記の成す角度αは、好ましくは0°-10°で、成す角度βは、好ましくは0°-10°である。
【００１０】
上記の清水タンク内殻壁に取付けられた噴水ノズルの数量は、好ましくは２-４個である。
【００１１】
上記の成す角度αは、より好ましくは1°-10°で、成す角度βは、より好ましくは1°-10°である。
【００１２】
上記の噴水ノズルの噴水口の所に、一つの水上向き噴射を防止する半円形末端屋根縁が設置されている。
【００１３】
上記の気圧水ポンプ構造は気圧ポンプ、球形バルブ、傘型バルブと弾性ダクトにより連接され構成されている。その中で、球形バルブが気圧ポンプの斜め角度のある水入口にある。傘型バルブが気圧ポンプ水入口と連接する弾性ダクトに取付けられている。
【００１４】
上記の傘型バルブは、傘型バルブのバブルコアと傘型バルブコアブラケットとがアセンブリ・連接されて構成される。
【００１５】
上記の球形バルブは、球形バルブコア、球形バルブコアブラケット及び球形バルブコアブラケットでの環形位置限定帯によりアセンブリ・連接されて構成される。
【００１６】
携帯式フラッシュ・スタンド便器清水タンクの内に、六つ以上の順円周方向の噴水口が設置される。在噴水口下縁で一つの環形プラットフォームリングを加える。その他、噴水ノズルの取り付け角度に砕心し、設計された。洗い流しの水は、清水タンクに取付けられた気圧ポンプが下端の洗い流し自己密封構造及び側面の吸水自己密封構造が気圧ポンプの圧縮と伸張によって陰圧吸水と正圧噴水を形成し、これから各種のパイプと噴水ヘッドにより噴出して、マルチヘッド同時手動環形洗い流しを実現できる。
【００１７】
本考案は、マルチヘッド噴水構造、環形プラットフォーム・リング、気圧ポンプ、吸水自封及び洗い流し自己密封構造から構成される。本考案で設置された水流が清水タンク内表面の環状プラットフォーム・リングとマルチヘッドの噴水構造を通じて、同時に均一な回り洗浄を実現でき、有限の水量で付着物を均一で且つ速く洗い流すことができる。本考案の構造は信用性が高く、使用が便利で、洗い流し効率が高く、水使用量節約を実現できる。
【００１８】
図に示すように、その中の(1)は気圧ポンプ、(1)-1はポンプの伸縮構造、(1)-2はポンプと清水タンク(50)の取付と締付構造、(1)-3はポンプの水入口、(1)-4はポンプに斜め角度のある水入口である。
【００１９】
(2)は球形バルブコアブラケット、(2)-1は環形位置限定帯、(2)-2は球バルブブラケット足部、(2)-3はバルブコアブラケット球面である。
【００２０】
(3)は球形バルブコアで、(4)は弾性ダクトである。
【００２１】
(5)は傘型バルブコアブラケット、(5)-1はブラケット付け具、(5)-2はブラケット密封面である。
【００２２】
(6)は傘型バルブのバルブコア、(6)-1はバルブコア密封面で、(6)-2は弾性伸縮構造である。
【００２３】
(6)-3はバルブコア固定点である。
【００２４】
(7)は多岐分流器で、(8)はダクトである。
【００２５】
(9)は噴水ノズル、(9)-1は噴水ノズルとダクトの連接箇所である。(9)-2は噴水ノズルと清水タンク(50)連接する固定と締付構造である。(9)-3は噴水口で、(9)-4は半円形の末端屋根縁である。
【００２６】
(10)は環形プラットフォームで、(50)は清水タンクである。
【００２７】
11は気圧水ポンプ構造、12は内殻壁、13は球形バルブ、14は傘型バルブ、15は清水タンク(50)内の清水である。
【００２８】
Lは、噴水ノズル(9)の中軸線、Mは水平面即ち清水タンク(50)の上表面と平行する平面である。Nは清水タンク(50)内円周上の噴水ノズル(9)取付点接線を通す垂直面、αは噴水ノズル(9)の中軸線Lが取付時に水平面Mと成す角度であり、βは噴水ノズル(9)の中軸線Lが取付時に清水タンク(50)内円周を通す噴水ノズル(9)取付点接線の垂直面Nの成す角度である。
【考案を実施するための最良の形態】
【００２９】
次に添付図の実施例に結びついて本考案を更に説明する。
【００３０】
本実施例は、清水タンク(50)、清水タンク(50)に取り付けられた気圧水ポンプ構造11及び清水タンク(50)内殻壁12に取り付けられた噴水ノズル(9)から連接されてなる。清水タンク(50)内殻壁12の上部、噴水ノズル(9)以下に一つの環形プラットフォーム(10)を設置して、気圧水ポンプ機構11がダクト(8)及び多岐分流器(7)を通じて噴水ノズル(9)と繋ぐ。
【００３１】
清水タンク(50)内殻壁12に取り付けられた噴水ノズル(9)の数量は6-12個で、それに同一水平面上の円周順同方向に配列される。
【００３２】
上記の多岐分流器(7)は、一つの水入口と２-４個の水出口を付けるパイプ連接部品である。
【００３３】
上記の噴水ノズル(9)の中軸線Lが取付け時に水平面Mと成す角度αが0°-20°で、噴水ノズル(9)の中軸線Lが取付け時に清水タンク(50)内円周にある噴水ノズル(9)取付点接線Pを通過する垂直面Nとの成す角度βが0°-20°である。
【００３４】
清水タンク(50)の内殻壁12の上部、噴水ノズル(9)より下に、一つの環形プラットフォーム(10)も設置されている。
【００３５】
上記の成す角度αは好ましくは0°-10°であり、成す角度βは好ましくは0°-10°である。
【００３６】
上記の清水タンク(50)の内殻壁12に取り付けられた噴水ノズル(9)の数量は２-４個が好ましい。
【００３７】
上記の成す角度αは、より好ましくは1°-10°であり、成す角度βは、より好ましくは1°-10°である。
【００３８】
環形プラットフォーム(10)以上、清水タンク(50)の内殻壁12上に取付けられた噴水ノズル(9)の数量の最適方案が2個である。
【００３９】
上記の噴水ノズル(9)の噴水ノズル(9)-3の所に、一つの水の上向き噴射を防止する半円形の端頂上縁(9)-4を取付ける。
【００４０】
上記の気圧水ポンプ構造11は、気圧ポンプ主体(1)、球形バルブ13、傘型バルブ14と弾性ダクト(4)により連接されて構成される。その中で、球形バルブ13が気圧ポンプ(1)の斜め角度の水入口(1)-4を有するところに取付けられて、傘型バルブ14が気圧ポンプ(1)の水出口(1)-3と連接する弾性ダクト(4)に取付けられる。
【００４１】
上記の傘型バルブ14は傘型バルブのバルブコア(6)と傘型バルブコアブラケット(5)とアセンブリ・連接されて構成される。
【００４２】
上記の球形バルブ13は、球形バルブコア(3)、球形バルブコアブラケット(2)及び球形バルブコアブラケット(2)にある環形位置限定帯(2)-1からアセンブリ・連接されて構成される。
【００４３】
携帯式フラッシュ便器清水タンク(50)の内に、6-12本の順円周方向と同方向の噴水ノズル(9)を加える。但し、図1と図9で二つの相対的に取り付けられた噴水ノズル(9)だけで、示しだけである。当実施例で、6本の噴水ノズル(9)を取り付けて、これらは、清水タンク(50)の内殻壁12の円周上に均一に取り付けられる。好ましくは、２-４本の噴水ノズル(9)を取り付けて、噴水口(9)-3の下縁に一つの環形プラットフォーム・リング(10)を加える。洗い流し水は、清水タンク(50)に加えた気圧ポンプ(1)が下端の水流し自己密封構造と側面の吸水自己密封構造とは、気圧ポンプ(1)の圧縮と伸張により陰圧給水と正圧噴水を形成し、これから各種のパイプと噴水ノズル(9)を通じて噴出することによって、手動多岐同時環形均一洗い流しを実現する。
【００４４】
洗い流しプロセスは、水が幾つの噴水ノズル(9)を通して環形プラットフォーム(10)に沿って均一に円周に沿って流すことを指す。
【００４５】
水の吸い取り作業箇所は図3に示すように、(1)は気圧ポンプ、(1)-1はポンプの伸縮構造、(1)-2はポンプと清水タンク(50)との固定取付構造である。(1)-3はポンプの出水インターフェイスで、(1)-4はポンプに斜め角度のある水入口で、(3)は(1)-4に置かれる球形バルブである。
【００４６】
水の吸い取りと洗い流し作業プロセスは図3のように、洗い流し水が気圧ポンプ(1)の収縮と伸張に来られる。気圧ポンプ(1)が伸張する場合、傘型バルブのバルブコア(6)と傘型バルブコアブラケット(5)が自動密封状態（拡大図4参照）にあり、気圧ポンプ(1)内に陰圧を形成し、水口(1)-4の外の水流の圧力がポンプ内の圧力より大きい。水流が球形バルブコア(3)（拡大図5参照）を流し開き、水が球形バルブコア(3)と(2)-3バルブコアブラケット球面の嵌めギャップを通じて水を吸入する。気圧ポンプ(1)を押さえ、気圧ポンプを収縮させる場合、ポンプ内の水圧が増加し、球形バルブコア(3)が落ちて(2)-3球面と圧着して密封し、水がエアポンプ出水口(1)-3を通してダクト(4)に入り、傘型バルブコア(6)（図4参照）を開けて、バルブコア密封面(6)-1とブラケット密封面(5)-1とを分離させて、水流がギャップを通じて多岐分流器(7)に流れ、ダクト(8)を通して幾つかの噴水ノズル(9)に進入する。
【００４７】
傘型バルブの仕事原理は吸水自己密封構造と同じ、弾性ダクト(4)が水出口(1)-3に繋がれて、長さが限られない。弾性ダクト(4)内に傘型バルブ14が装入される。図4は、傘型バルブコアブラケット(5)と傘型バルブコア(6)装置の略図である。バルブコアの密封面(6)-1がブラケット密封面(5)-2と嵌め合う。バルブコアの固定点(6)-3がブラケットフック(5)-1に固定される。(6)-2は弾性伸縮構造で、ずっとテンション密封状態に処する。気圧ポンプ(1)が圧縮し、水流れがポンプの水出口(1)-3から傘型ブラケット(5)方向へ運動する時、水圧がバルブコア密封面(6)-1と傘型バルブコアブラケット(5)の密封面(5)-2を開き、水流が多岐分流器(7)を通過して、それぞれ多岐ダクト(8)に流れる。これから、ダクト(8)と繋ぐ噴水ノズル(9)に入る。気圧ポンプ(1)が伸張する時、ポンプ内部水圧が減少して、弾性伸縮構造(6)-2の箇所が緊張して、バルブコア密封面(6)-1とバルブコアブラケット(5)の密封面(5)-2が密封されて、吸水自己密封状態に達した。
【００４８】
球形バルブの仕事原理及び洗い流し自己密封構造は以下の通りである。拡大図5で示すように、自重のある球形バルブコア(3)及び球形バルブコアブラケット(2)を有し、球バルブブラケット足部(2)-2下端が清水タンク(50)本体と近づいていて、球形バルブコアブラケット(2)がポンプ斜め角度のある水入口(1)-4から離れるのを防止する。環形位置限定帯(2)-1が球形バルブコア(3)とブラケット(2)との距離を制限する。バルブコアブラケット球面2-(3)が球形バルブコア(3)と嵌合し、中間はコアが空洞の水の通り道である。気圧ポンプ(1)が伸張する場合、傘型バルブ14が自動的に密封し、気圧ポンプ(1)内に陰圧が形成し、水入口(1)-4外の水流の圧力が気圧ポンプ(1)内の圧力より大きく、水流が球形バルブコア(3)（拡大図5参照）を突き開き、水が球形バルブコア(3)とバルブコアブラケット球面(2)-3の嵌めギャップを通して吸入する。気圧ポンプ(1)を押さえて気圧ポンプ(1)を収縮させる場合、気圧ポンプ(1)内の水圧が増加し、球形バルブコア(3)が落ちて、バルブコアブラケット球面(2)-3球面と圧着して洗い流し自己密封状態に達する。
【００４９】
噴水ノズル(9)の構造は図7の示すように、噴水ノズル(9)がダクト(8)の連接箇所(9)-1及びダクト(8)と連接し、清水タンク(50)と連接する(9)-2構造が噴水ノズル(9)を固定して嵌合する。(9)-3は噴水口である。(9)-4は半円型の端口の屋根縁であり、水の前方向の噴射を防止する。
【００５０】
噴水ノズル(9)の中軸線Lが取付け時に水平面Mとの成す角度αについて、当実施例では5°と選択され、噴水ノズル(9)の中軸線Lが取付け時に清水タンク(50)内円周上的噴水ノズル(9)安装点接線を通す垂直面Nとの成す角度βについて、当実施例では5°と選択されている。
【００５１】
六つの傾斜取付けられた噴水ノズル(9)の噴水口(9)-3から出た水が環形プラットフォーム(10)の円周回りに沿って均一に洗い流しを完成する。
【００５２】
本考案は、清水タンク内で取り付けられて、気圧ポンプを手動で押さえることによって、清水の吸入と噴出を実現し、それに順円周方向の幾つかの噴水ノズルを通じて、水を同時に噴出する。水流が清水タンク内表面の環状プラットフォーム圈を通じ、同時に均一に周辺を回って洗い流す。これによって、有限の水量が均一に且つ速く付着物を洗い流し、洗い流しの死角がない。本考案は、構造の信頼性がよく、使用が便利で、洗い流し効率が高く、水を節約できる。
【図面の簡単な説明】
【００５３】
【図１】本考案の構造の俯瞰図である。
【図２】図１のB-B方向を沿う構造断面図である。
【図３】気圧水ポンプ構造アセンブリと連接略図である。
【図４】傘型バルブ吸水自己密封構造の略図である。
【図５】球形バルブ洗い流しの自己密封構造の略図である。
【図６】噴水ノズルの構造略図である。
【図７】図６のA方向の構造図である。
【図８】噴水ノズル斜め取付構造の拡大略図である。
【図９】本考案構造の俯瞰図である。
【図１】
0003144898.tif 000003
【図２】
0003144898.tif 000004
【図３】
0003144898.tif 000005
【図４】
0003144898.tif 000006
【図５】
0003144898.tif 000007
【図６】
0003144898.tif 000008
【図７】
0003144898.tif 000009
【図８】
0003144898.tif 000010
【図９】
0003144898.tif 000011